(57)【特許請求の範囲】
【請求項１】
消費者による商品の購入予約があった場合に、前記購入予約に関する商品購入予約情報を、前記商品の部品を製造する各工場が所持する各工場端末に一斉送信するブロードキャスト手段と、
前記ブロードキャスト手段による一斉送信に対する応答として、前記部品の製造に関する部品製造情報を前記各工場端末から受信する部品製造情報受信手段と、
前記部品製造情報受信手段により前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信する販売商品情報送信手段と、
前記商品の各部品を前記各工場が製造した成果に応じた報酬額を示す報酬情報を前記各工場端末に送信する報酬分配手段とを備えたことを特徴とする商品生産システム。
【請求項２】
前記販売商品情報には、前記商品の納期及び価格が含まれることを特徴とする
請求項１に記載の商品生産システム。
【請求項３】
前記商品の購入予約には、前記商品の仕様全体を特別注文する購入予約と、既製品の仕様の一部を特別注文する購入予約と、既製品の購入数量のみを指定する購入予約と、の何れかが含まれることを特徴とする
請求項１又は２に記載の商品生産システム。
【請求項４】
コンピュータを、
消費者による商品の購入予約があった場合に、前記購入予約に関する商品購入予約情報を、前記商品の部品を製造する各工場が所持する各工場端末に一斉送信するブロードキャスト手段と、
前記ブロードキャスト手段による一斉送信に対する応答として、前記部品の製造に関する部品製造情報を前記各工場端末から受信する部品製造情報受信手段と、
前記部品製造情報受信手段により前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信する販売商品情報送信手段と、
前記商品の各部品を前記各工場が製造した成果に応じた報酬額を示す報酬情報を前記各工場端末に送信する報酬分配手段と
して機能させるためのプログラム。
【発明の詳細な説明】
【技術分野】
【０００１】
本発明は、商品生産システム及びプログラムに関する。
【背景技術】
【０００２】
従来、アパレルメーカーにおける販売用の被服類の生産方法の多くは、既製品の見込み生産であるため、余剰在庫、売れ残り品の値下げ、廃棄等が発生し、経営上及び環境上の問題があった。
このような問題を解決するために、特許文献１には、受注生産をすることにより、在庫を必要としない仮想試着／試用システムが開示されている。
【先行技術文献】
【特許文献】
【０００３】
【特許文献１】特開２００４−１３３８７６号公報
【発明の概要】
【発明が解決しようとする課題】
【０００４】
しかしながら、受注生産は、納期が長くなり、また、特注品は既製品に比べて価格が高くなるという問題があった。また、特注品は、納期や価格が直ぐに判らないという問題があった。
【０００５】
本発明は、注文を受けてから短期間で商品を生産することができる商品生産システム及びプログラムを提供することを課題とする。
また、本発明は、受注生産の商品の価格や納期を消費者が直ぐに知ることができる商品生産システム及びプログラムを提供することを課題とする。
【課題を解決するための手段】
【０００６】
上記課題を解決するために、本発明の商品生産システムは、
消費者による商品の購入予約があった場合に、前記購入予約に関する商品購入予約情報を、前記商品の部品を製造する各工場が所持する各工場端末に一斉送信するブロードキャスト手段と、
前記ブロードキャスト手段による一斉送信に対する応答として、前記部品の製造に関する部品製造情報を前記各工場端末から受信する部品製造情報受信手段と、
前記部品製造情報受信手段により前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信する販売商品情報送信手段と
を備えたことを特徴とする。
【０００７】
上記発明によれば、商品生産システムは、消費者による商品の購入予約があった場合に、前記購入予約に関する商品購入予約情報を、前記商品の部品を製造する各工場が所持する各工場端末に一斉送信するため、各工場は直ぐに商品の部品の生産計画を立てて生産を開始することができるので、注文を受けてから短期間で商品を生産することができる。
また、前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信するため、消費者は商品の購入予約をすると直ぐに商品の納期、価格等の販売商品情報の通知を受けることができる。
【０００８】
上記発明において、前記商品販売情報には、前記商品の納期及び価格が含まれることを特徴とする。
【０００９】
上記発明によれば、消費者は商品の購入予約をした後、直ぐに商品の納期及び価格を知ることができる。
【００１０】
上記発明において、前記商品の購入予約には、前記商品の仕様全体を特別注文する購入予約と、既製品の仕様の一部を特別注文する購入予約と、既製品の購入数量のみを指定する購入予約と、の何れかが含まれることを特徴とする。
【００１１】
上記発明によれば、消費者は、様々なパターンで商品の購入予約をすることができる。また、既製品の購入数量のみを指定する購入予約の場合であって購入数量を増やした場合には、商品の購入単価を下げることも可能となる。
【００１２】
上記発明において、前記商品の各部品を前記各工場が製造した成果に応じた報酬額を示す報酬情報を前記各工場端末に送信する報酬分配手段をさらに備えたことを特徴とする。
【００１３】
上記発明によれば、各工場は、前記商品の各部品を製造した成果に応じた報酬を得ることができる。
【００１４】
本発明のプログラムは、
コンピュータを、
消費者による商品の購入予約があった場合に、前記購入予約に関する商品購入予約情報を、前記商品の部品を製造する各工場が所持する各工場端末に一斉送信するブロードキャスト手段と、
前記ブロードキャスト手段による一斉送信に対する応答として、前記部品の製造に関する部品製造情報を前記各工場端末から受信する部品製造情報受信手段と、
前記部品製造情報受信手段により前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信する販売商品情報送信手段として機能させることを特徴とする。
【００１５】
この特徴によれば、消費者による商品の購入予約があった場合に、前記購入予約に関する商品購入予約情報を、前記商品の部品を製造する各工場が所持する各工場端末に一斉送信するため、各工場は直ぐに商品の部品の生産計画を立てて生産を開始することができるので、注文を受けてから短期間で商品を生産することができる。
また、前記各工場端末から受信された複数の部品製造情報を収集し、前記商品を前記消費者に販売するにあたって前記消費者に事前に通知すべき販売商品情報を生成し、該生成した販売商品情報を前記消費者が所持する消費者端末に送信するため、消費者は商品の購入予約をすると直ぐに商品の納期、価格等の販売商品情報の通知を受けることができる。
【図面の簡単な説明】
【００１６】
【図１】本発明の実施形態に係る商品生産システムの全体構成図である。
【図２】同実施形態に係る商品生産システムを構成する制御ノードの機能構成図である。
【図３】同実施形態に係る商品生産システムの動作を示すフローチャートである。
【発明を実施するための形態】
【００１７】
以下、本発明の実施形態について、図面を参照して詳細に説明する。
【００１８】
図１は、本発明の実施形態に係る商品生産システム１の全体構成図である。同図に示すように、商品生産システム１は、ブロックチェーンネットワーク２０を構成する複数のノード１０を備えている。複数のノード１０は、商品生産システム１を制御する制御ノード１１、商品の部品を製造する各工場が所持する各工場端末１２、マネキン制作会社が所持するマネキン会社端末１３、商品の企画・制作・販売を行う企画会社が所持する企画会社端末１４、及び、消費者が所持する消費者端末１５を含み、ブロックチェーンネットワーク２０を介して相互に通信可能に構成されている。なお、図１では、工場端末１２及び消費者端末１５をそれぞれ１つずつ図示しているが、実際には複数存在する。
また、本実施形態では、「商品」は主に被服を想定しており、「商品の部品」は、被服を構成する部品として、例えば、布、糸、ファスナー、ボタン等を想定している。また、ここでの「被服」には、帽子、眼鏡、マスク、イヤホン、カバン、指輪、アクセサリー、靴、マフラー、スカーフ、手袋、ベルト、財布等、マネキンが着用する可能性があるもの全てが含まれる。
【００１９】
制御ノード１１は、通信機能を有するコンピュータであり、ハードウェアとして、ＣＰＵと、ＲＡＭ、ＲＯＭ、ハードディスク等の記憶装置と、ブロックチェーンネットワーク２０を介した通信を制御する通信インターフェースと、キーボードやディスプレイ等の入出力インターフェースと、を備えている。制御ノード１１の記憶装置には、各種データ、プログラム等のソフトウェアが記憶されている。制御ノード１１のＣＰＵが記憶装置に記憶されているソフトウェアに従って処理を実行することにより、図２に示す機能構成が制御ノード１１に実現される。
【００２０】
制御ノード１１のブロードキャスト部１１１は、消費者による商品の購入予約があった場合に、当該購入予約に関する商品購入予約情報を各工場端末１２に一斉送信する。
部品製造情報受信部１１２は、ブロードキャスト部１１１による一斉送信に対する応答として、各工場が製造を担当する前記商品の部品の納期、価格等の、前記部品の製造に関する部品製造情報を、前記各工場端末１２から受信する。
【００２１】
販売商品情報送信部１１３は、部品製造情報受信部１１２により各工場端末１２から受信された複数の部品製造情報を収集し、前記商品を購入予約した消費者に販売するにあたって前記消費者に事前に通知すべき、商品の納期、価格等の、販売商品情報を生成し、当該生成した販売商品情報を前記消費者が所持する消費者端末１５に送信する。例えば、商品の納期は、各部品の納期のうち最も遅い納期に１週間を加えた日付として算出され、また、価格は、各部品の価格の合計額の１０割増しの金額として算出される。
報酬分配部１１４は、前記商品の各部品を各工場が製造した成果に応じて、各工場に報酬を分配する。具体的には、報酬分配部１１４は、各工場の報酬額を算出し、当該算出した各報酬額を各工場に付与するための報酬情報を含むトークンを各工場が所持する工場端末１２に送信する。
【００２２】
工場端末１２は、商品の部品を製造する工業に設置されている通信機能を有するコンピュータであり、商品購入予約情報のブロードキャストを制御ノード１１から受信する機能と、当該受信した商品購入予約情報で示される商品の部品を製造するに当たって、当該部品の納期、価格等を示す部品製造情報を返信する機能と、当該商品の部品を製作し、それに応じた報酬としてトークンを受領する機能と、を有する。
なお、工場端末１２は、制御ノード１１に代わって、他の工場における部品製造情報を連結・連携し、商品の納期、価格等を示す販売商品情報を消費者端末１５に送信してもよい。
【００２３】
マネキン会社端末１３は、マネキン制作会社に設置されている通信機能を有するコンピュータであり、マネキン画像を表示するためのマネキンデータを作成する機能と、マネキンデータをブロックチェーンネットワーク２０に登録することにより消費者端末１５からの要求に応じてマネキンと被服類とが合体した試着画像を配信できるように準備する機能と、消費者が店舗に入店して被服を閲覧した実績、試着画像が配信された実績、当該消費者が当該被服を購入又は購入予約をした実績等に応じて報酬をトークンで受領する機能と、を有する。
【００２４】
企画会社端末１４は、被服等の商品を企画・制作・販売する企画会社に設置されている通信機能を有するコンピュータであり、既製服等の商品データをブロックチェーンネットワーク２０に登録することにより消費者端末１５からの要求に応じてマネキンと被服類とが合体した試着画像を配信できるように準備する機能と、試着画像が配信された実績に応じてマネキンの使用料をマネキン会社にトークンで支払う機能と、を有する。
ここで、企画会社が制作する被服は、実際の生地を縫製して作成する被服と、コンピュータ画面上に表示するデジタル被服と、の両方が含まれる。また、制作及び販売する被服には、既製品、特注品、リクエスト品が含まれる。
【００２５】
次に、図３に示すフローチャートを参照して、商品生産システム１が行う動作について説明する。
【００２６】
前提として、マネキン制作会社が制作したマネキンデータ、及び、企画会社が制作した既製服等の商品データは、ブロックチェーンネットワーク２０に予め登録されている。
【００２７】
消費者は、インターネット上のＥＣサイト、情報端末、専用機、ＩＯＴ等により、被服の購入機会を得る。消費者は、ブロックチェーンネットワーク２０で使用可能なウォレットを設定し、トークンを使用可能にする。
【００２８】
そして、消費者は、インターネット上のＥＣサイト、情報端末、専用機、ＩＯＴ等を用いて、商品閲覧をしながら、自己のアバターとしてのマネキンと被服類とが合体した試着画像を表示して、サイズや着こなしを確認する。目的の商品を購入する際には、ブロックチェーンネットワーク２０で使用可能なトークンで当該商品代金を支払う。消費者の購買行動に応じて、「入店→閲覧→試着→購買」、「入店→閲覧→試着→購買予約→受注生産」等のトランザクションが、ブロックチェーンネットワーク２０に記録される。消費者が商品を再度購入したり、リクエストしたりする際には、ブロックチェーンネットワーク２０に記録されている履歴から選択できるため、初回よりスムーズな商品購入が可能となる。また、消費者の行動履歴に応じて、ノード１０間で報酬としてのトークンの授受が行われる。
【００２９】
消費者が特注品を発注する際は、好みの商品を選択した後に、商品生産システム１から通知される特注品の納期及び価格を参照して、当該特注品を購入予約するかどうかを、他の消費者と共同で購入予約するかどうかも含めて検討する。そして、商品の購入予約を決断した場合には、消費者は、消費者端末１５を操作して商品の購入予約を行う（ステップＳ１０１）。
【００３０】
制御ノード１１のブロードキャスト部１１１は、消費者による商品の購入予約があった場合に、当該購入予約に関する商品購入予約情報を、各工場端末１２に一斉送信する（ステップＳ１０２）。
各工場端末１２は、商品購入予約情報を受信すると、各工場で製造する当該商品の部品の製造スケジュールを立てて、当該部品の納期、価格等を示す部品製造情報を制御ノード１１に返信する。
制御ノード１１の部品製造情報受信部１１２は、ブロードキャスト部１１１による一斉送信に対する応答として、前記部品の納期、価格等、前記部品の製造に関する部品製造情報を前記各工場端末１２から受信する（ステップＳ１０３）。
【００３１】
制御ノード１１の販売商品情報送信部１１３は、各工場端末１２から送信されてきた複数の部品製造情報を収集する。そして、販売商品情報送信部１１３は、当該収集した複数の部品製造情報に基づいて、当該商品を消費者に販売するにあたって当該消費者に事前に通知すべき、商品の納期、価格等の、販売商品情報を生成する。そして、販売商品情報送信部１１３は、当該生成した販売商品情報を消費者端末１５に送信する（ステップＳ１０４）。消費者端末１５は販売商品情報を受信し、消費者は、購入予約した商品の納期や価格を直ぐに知ることができる。
【００３２】
制御ノード１１の報酬分配部１１４は、前記商品の各部品を前記各工場が製造した成果に応じた報酬額を示す報酬情報をトークンとして各工場端末１２に送信する（ステップＳ１０５）。
【００３３】
以上説明したように、商品生産システム１は、消費者による商品の購入予約があった場合に、当該購入予約に関する商品購入予約情報を各工場端末１２に一斉送信するため、各工場は直ぐに商品の部品の生産計画を立てて生産を開始することができる。したがって、注文を受けてから短期間で商品を生産することができるため、早い納期で被服等の商品を消費者に納品することができる。
【００３４】
また、商品生産システム１は、前記各工場端末から受信された複数の部品製造情報を収集し、当該商品を消費者に販売するにあたって当該消費者に事前に通知すべき販売商品情報を生成し、当該生成した販売商品情報を消費者端末１５に送信するため、消費者は商品の購入予約をすると直ぐに商品の納期や価格を知ることができ、購入計画を立てたり、価格に応じて購入数量を増やしたりすることができる。
【００３５】
また、消費者は、商品購入予約をする際に、商品の仕様全体を特別注文することができ、また、既製品の仕様の一部を特別注文することもでき、さらには、既製品の購入数量のみを指定することもでき、様々なパターンで商品の購入予約をすることができる。また、既製品の購入数量のみを指定する購入予約の場合であって購入数量を増やした場合には、商品の購入単価を下げることも可能となる。
また、各工場は、商品の各部品を製造した成果に応じて報酬を得ることができる。
【００３６】
なお、上述した実施形態は一例に過ぎず、本発明は特許請求の範囲に記載の発明の要旨を変更しない範囲内で、種々変形して実施することができる。
【００３７】
例えば、商品生産システム１の通信方式は、上述した実施形態におけるブロックチェーンネットワーク２０に限定されることはなく、例えば、Ｐ２Ｐ（ピアツーピア）やクライアント・サーバー通信であってもよいし、分散ストーレージ型ブロックチェーンを使用した通信であってもよいし、これらを組み合わせた通信方式であってもよい。
【００３８】
また、上述した実施形態では、商品生産システム１は複数のノード１０で構成されているとして説明したが、商品生産システム１の装置構成はこれに限定されることはない。例えば、商品生産システム１は１つの装置で構成されていてもよいし、クライアント・サーバシステムで構成されていてもよい。商品生産システム１が１つの装置で構成されている場合には、当該装置はインターネット等の通信網に接続してないスタンドアロンの装置であってもよい。
【００３９】
また、本発明に係る商品生産システム１において販売される商品は、消費者が実際に身に着けることができる被服が中心であるが、デジタル形態の被服、書籍、その他の商品であってもよい。
【符号の説明】
【００４０】
１  商品生産システム
１０  ノード
１１  制御ノード
１１１  ブロードキャスト部
１１２  部品製造情報受信部
１１３  販売商品情報送信部
１１４  報酬分配部
１２  工場端末
１３  マネキン会社端末
１４  企画会社端末
１５  消費者端末
２０  ブロックチェーンネットワーク
【要約】
【課題】注文を受けてから短期間で商品を生産することができる商品生産システム及びプログラムを提供する。
【解決手段】商品生産システム１は、消費者による商品の購入予約があった場合に、購入予約に関する商品購入予約情報を各工場端末１２に一斉送信するブロードキャスト部１１１と、ブロードキャスト部１１１による一斉送信に対する応答として、部品の製造に関する部品製造情報を各工場端末１２から受信する部品製造情報受信部１１２と、部品製造情報受信部１１２により各工場端末１２から受信された複数の部品製造情報を収集し、商品を消費者に販売するにあたって消費者に事前に通知すべき販売商品情報を生成し、該生成した販売商品情報を消費者端末１５に送信する販売商品情報送信部１１３とを備える。
【選択図】図１【図１】
0006956457.tif 000002
【図２】
0006956457.tif 000003
【図３】
0006956457.tif 000004